(57)【要約】【課題】簡単な操作で多様な抱持方法に適した形態に転換できるベビーキャリアを提供する。【解決手段】  幼児の後頭部から背中を支持する背当て部(11)、および該背当て部(11)の下端に連続する股当て部(12)を有するキャリア本体(10)と、前記キャリア本体(10)に取付けられた肩ベルト(30)(30)と、前記背当て部(11)の上部左右側縁から突出し、先端部が前記肩ベルト(30)(30)に係止される帯状のサポート部材(21)(21)とを備えるベビーキャリア(1)であって、前記背当て部(11)において、硬質芯板(25)が着脱可能に装着されてなることを特徴とする。【選択図】    図１
2005312759.tif 000002
【特許請求の範囲】
【請求項１】
幼児の後頭部から背中を支持する背当て部、および該背当て部の下端に連続する股当て部を有するキャリア本体と、前記キャリア本体に取付けられた肩ベルトと、前記背当て部の上部左右側縁から突出し、先端部が前記肩ベルトに係止される帯状のサポート部材とを備えるベビーキャリアであって、
前記背当て部において、硬質芯板が着脱可能に装着されてなることを特徴とするベビーキャリア。
【請求項２】
前記背当て部は内布と外布との合わせ材によって形成され、前記硬質芯板が前記内布と外布との間に装着される請求項１に記載のベビーキャリア。
【請求項３】
前記硬質芯板は背当て部の背面に設けられた収納室内に装着される請求項１に記載のベビーキャリア。
【請求項４】
前記硬質芯板は内側に湾曲している請求項１〜３のいずれか１項に記載のベビーキャリア。
【請求項５】
前記背当て部において、硬質芯板の内側にクッション性の軟質芯材が介装されている請求項１〜４のいずれか１項に記載のベビーキャリア。
【請求項６】
前記背当て部の上下方向の中間部に、背当て部を二つ折りにする少なくとも１本の折り曲げ線が形成されている請求項１〜５のいずれか１項に記載のベビーキャリア。
【発明の詳細な説明】
【技術分野】
【０００１】
この発明は、幼児抱持に用いるベビーキャリアに関する。
【背景技術】
【０００２】
ベビーキャリアを用いる幼児の抱持方法は、おんぶ、幼児と向かい合う対面だっこ、幼児の向きを逆にする前向きだっこ、幼児を寝かせる横だっこがあり、幼児の成長や使用場面によって選択される。また、１つのベビーキャリアで複数の抱持方法に対応するために、使用者への装着方法を変更するとともに、各種抱持支援部材を着脱することが一般的である（特許文献１、２）。
【０００３】
特許文献１に記載されたベビーキャリアでは、後頭部を支える頭部サポート部材をキャリア本体から着脱自在とし、抱持方法によって頭部サポート部材を着脱を選択する。即ち、横だっこでは幼児の頭部支持が不可欠であり必ず頭部サポート部材を装着するが、前向きだっこでは頭部サポート部材が顔を覆わないように外す。また、おんぶや対面だっこでは、前記頭部サポート部材を装着すれば後頭部や首をしっかりと支えることができるし、やや成長した幼児に対しては頭部サポート部材を外して抱持することもできる。
【０００４】
また特許文献２に記載されたベビーキャリアでは、背当て部と頭部サポート部材が一体に形成されたものである。
【特許文献１】特開２００３−４０１号公報
【特許文献２】特許第３４０３５９９号公報
【発明の開示】
【発明が解決しようとする課題】
【０００５】
しかしながら、特許文献１に記載されたベビーキャリアは頭部サポート部材の着脱が面倒である。また、特許文献２に記載されたベビーキャリアは、背当て部と頭部サポート部材が一体に形成されているため、前向きだっこができない。さらに、どのようなベビーキャリアにおいても抱持状態のさらなる安定性向上が望まれている。
【課題を解決するための手段】
【０００６】
本発明は、上述した背景技術に鑑み、簡単な操作で多様な抱持方法に適した形態に転換できるベビーキャリアの提供を目的とする。
【０００７】
前記目的を達成するために、本発明のベビーキャリアは下記〔１〕〜〔６〕に記載の構成を有する。
〔１〕  幼児の後頭部から背中を支持する背当て部、および該背当て部の下端に連続する股当て部を有するキャリア本体と、前記キャリア本体に取付けられた肩ベルトと、前記背当て部の上部左右側縁から突出し、先端部が前記肩ベルトに係止される帯状のサポート部材とを備えるベビーキャリアであって、前記背当て部において、硬質芯板が着脱可能に装着されてなることを特徴とするベビーキャリア。
〔２〕  前記背当て部は内布と外布との合わせ材によって形成され、前記硬質芯板が前記内布と外布との間に装着される〔１〕に記載のベビーキャリア。
〔３〕  前記硬質芯板は背当て部の背面に設けられた収納室内に装着される〔１〕に記載のベビーキャリア。
〔４〕  前記硬質芯板は内側に湾曲している〔１〕〜〔３〕のいずれか１項に記載のベビーキャリア。
〔５〕  前記背当て部において、硬質芯板の内側にクッション性の軟質芯材が介装されている〔１〕〜〔４〕のいずれか１項に記載のベビーキャリア。
〔６〕  前記背当て部の上下方向の中間部に、背当て部を二つ折りにする少なくとも１本の折り曲げ線が形成されている〔１〕〜〔５〕に記載のベビーキャリア。
【発明の効果】
【０００８】
〔１〕の発明にかかるベビーキャリアによれば、背当て部に硬質芯板を装着すれば幼児の首や後頭部をしっかり支持して、横だっこ、おんぶおよび対面だっこに適した状態となる。また、硬質芯板を外せば背当て部の上半部を折り曲げることができ、前向きだっこに適した状態となる。しかも、サポート部が肩ベルトに係止されているため、前向きだっこの抱持安定性が高い。よって、芯板の着脱のみで多様な抱持方法に適した形態に転換できる。
【０００９】
〔２〕〔３〕の発明によれば、硬質芯板を適正位置に装着できる。
【００１０】
〔４〕の発明によれば、幼児の身体に硬質芯板を沿わせてしっかりと支持できる。
【００１１】
〔５〕の発明によれば、幼児の身体を柔らかく支持できる。
【００１２】
〔６〕の発明によれば、背当て部の折り曲げが容易である。
【発明を実施するための最良の形態】
【００１３】
この発明にかかるベビーキャリアの一実施形態について、図示例に基づいて以下に説明する。
【００１４】
図１〜３に示すベビーキャリア(1)は、幼児の身体を収容するキャリア本体(10)と左右一対の肩ベルト(30)(30)から構成され、肩ベルト(30)(30)の装着方向により、横抱き、おんぶ、対面だっこおよび前向きだっこの４通りの抱持方法で使用することができる。
【００１５】
前記キャリア本体(10)は、外布(24a)および内布(24b)の合わせ材によって縫製されたものであり、幼児の頭部から背中を覆う背当て部(11)、股当て部(12)および胸当て部(13)が連続して一体に形成されている。
【００１６】
前記背当て部(11)の下方部左右側縁には、背当て部(11)から延長して背当て部側連結部(14)(14)が形成されている。一方、胸当て部(13)の左右側縁には、前記背当て部側連結部(14)(14)に脱着自在に連結される胸当て部側連結部(15)(15)が延設されている。これらの連結部(14)(15)は、各連結部(14)(15)に上下方向一列に取付けられて互いに係合する３つの係合具(16a)(16b)の係止−係止解除によって着脱自在とされ、開閉される。これらの係合具(16a)(16b)として凹凸嵌合によるホックが用いられている。さらに、前記開閉部分には安全ベルト(18)が設けられている。前記安全ベルト(18)は、背当て部(11)にベルトを介して取付けられた２つのＤ環(19)と、胸当て部(13)に縫着されてＤ環(19)に係止されるベルト(20)との組合せによるものである。前記安全ベルト(18)によって、連結部(14)(15)の不本意な開放を防止するとともに、幼児の体格に合わせてキャリア本体(10)の胴回り寸法を調節することができる。
【００１７】
また、前記背当て部(11)の上部、即ち幼児の後頭部を支える部分の左右側縁からは帯状のサポート部材(21)(21)が延設され、長さ方向の中間部と先端部に２対の止着具(22a)(22b)が取り付けられている。これらのサポート部材(21)は、肩ベルト(30)のＤ環(35)に通して止着具(22a)(22b)を止めることによって肩ベルト(30)に係止される。前記止着具(22a)(22b)として凹凸嵌合によるホックが用いられている。
【００１８】
以上により、前記キャリア本体(10)は、左右の側部で開閉可能な袋状に形成されて幼児の胴部を包むように保持するとともに、頭部を後方および側方から支持するものとなされている。
【００１９】
図２および図３に示すように、前記背当て部(11)においては、内布(24a)と外布(24b)との間に、合成樹脂製の硬質芯板(25)および発泡樹脂製でクッション性を有する軟質芯材(26)が挟み込まれている。前記硬質芯板(25)は、身体の丸みに沿うように内側にやや湾曲したものであり、軟質芯材(26)を重ねることによって、幼児を背後からしっかりかつ柔らかく支持するものとなされている。前記軟質芯材(26)は背当て部(11)の周縁で内布(24a)および外布(24b)とともに縫着固定される一方、硬質芯板(25)は背当て部(11)に形成された収納室(27)内に着脱自在に装着されている。前記収納室(27)は、背当て部(11)の外布(24b)の上端部にファスナで開閉される取出し口(28)が設けられるとともに、下方部で内布(24a)と外布(24b)とが縫着され、この縫着線(29)を側部乃至底部とする袋状に形成されている。そして、前記硬質芯板(25)はこの取出し口(28)から収納室(27)内に挿入され、前記軟質芯材(26)の外側に配置される。
【００２０】
前記左右一対の肩ベルト(30)(30)は、胸当て部(13)に縫着された基端側がクッション性を有する広幅帯(31)で形成される一方、先端側が幅の狭い扁平な帯紐(32)で形成されている。前記帯紐(32)にはバックル(33a)が摺動による取付位置変更自在に取付けられる一方、相手方バックル(33b)が股当て部(12)に取付られ、これらのバックル(33a)(33b)の連結によって肩ベルト(30)(30)の先端側がキャリア本体(10)に止着される。前記バックル(33a)は左右どちらの相手方バックル(33b)とも分離自在に連結され、肩ベルト(30)は平行に掛けることも交差して掛けることもできる。また、前記肩ベルト(30)(30)の基端近くに、上述のサポート部材(21)を係止するためのＤ環(35)が取り付けられている。
【００２１】
次に、前記ベビーキャリア(1)の使用方法について説明する。
【００２２】
〈硬質芯材を装着せずに使用する場合〉
図４Ａおよび図４Ｂに示す前向きだっこでは、背当て部(11)の収納室(27)から硬質芯板(25)を取出しておく。硬質芯板(25)を取り除くことによって、背当て部(11)は、内布(24a)、外布(24b)、軟質芯材(26)という柔らかい素材のみとなり、上半部を自在に折り曲げることができる。そして、折り曲げによって幼児の顔にかかることが防がれ、前向きだっこが可能となる。しかも、サポート部(21)が肩ベルトに(30)係止されているため、抱持安定性の高い前向きだっこができる。
【００２３】
前記背当て部(11)の折り曲げ位置は任意に設定できる。
【００２４】
例えば図４Ａに示すように、連結部(14)に近い低い位置（図２のＡ線）で折り曲げると、折り曲げた背当て部(11)が幼児の腕より低い高さになり、従来の着脱式の背当て部を外したのと同様の状態となる。
【００２５】
また図４Ｂに示すように、背当て部(11)はサポート部材(11)近くの高い位置（図２のＢ線）で折り曲げることもできる。この場合は、背当て部(11)が幼児を胸高位置で抑え、肩ベルト(30)に係止したサポート部材(21)が肩を抑えてサポート部材(21)と連結部(14)(15)の間から幼児の腕を出させて保持できるため、保持姿勢の安定性が高く、かつキャリア本体(10)からの脱落を防止できる。
【００２６】
また、いずれの場合も折り曲げた背当て部(11)の上半部が跳ね上がらないように、下半部に止め付けておくようにしても良い。
【００２７】
また、背当て部(11)の折り曲げ位置に、折り曲げ線を形成しておくことによって折り曲げ易くなる。折り曲げ線は、内布(24a)または外布(24b)にステッチを入れる、軟質芯材(26)を熱プレスする等の方法を例示できる。
〈硬質芯材を装着する場合〉
背当て部(11)によって幼児の後頭部を支持する抱持方法においては、硬質芯材(25)を装着する。
【００２８】
図５に示す横だっこは、首がすわる前の乳児に適した抱持方法であるから、硬質芯材(25)を装着し、首や後頭部をしっかりと支持することが好ましい。
【００２９】
図６の対面だっこおよびおんぶ（図示省略）においても、硬質芯材(25)を装着することによって安定した頭部支持がなされる。なお、ある程度成長した幼児に対しては、硬質芯材(25)を外し、あるいはさらに背当て部(11)の上半部を折り曲げて使用することもできる。さらに、サポート部材(21)をＤ環(35)から外して使用することもできる。この場合、サポート部材(21)や背当て部(11)が垂れ下がって邪魔にならないように、これらを収納する収納用ポケットを適宜設けても良い。
【００３０】
なお、この発明のベビーキャリアの各部の詳細な構成は、図示とともに上述した態様に限定されない。
【００３１】
硬質芯板(25)の収納室(27)は、図示例のように背当て部(11)を構成する内布(24a)および外布(24b)を利用する他、背当て部(11)の背面に別途設けても良い。いずれの場合も硬質芯板(25)を適正位置に装着できる。また、収納室(27)の取出し口(28)は、収納室(27)の下端部や左右端部に設けても良い。また、取出し口はスリットを設けるだけでも良く、フラップを取り付けてスリットを覆うようにしておけば硬質芯板(25)の飛び出しを防止できる。
【００３２】
肩ベルト(30)(30)の取付位置は、基端側を背当て部(11)から引き出すようにしても良い。
【００３３】
キャリア本体(10)は、胸当て部(13)のないオープンタイプでも良い。また、サポート部材(21)を肩ベルト(30)に係止する方法も図示例のホックに限定されす、ホックをバックルに代えて良いし、また肩ベルトにホックやバックルを取付け、Ｄ環(35)を介することなく直接係止させても良い。
【図面の簡単な説明】
【００３４】
【図１】本発明にかかるベビーキャリアの一実施形態の全体斜視図である。
【図２】図１のベビーキャリアの部分拡大図である。
【図３】図２のIII−III線断面図である。
【図４Ａ】図１のベビーキャリアを前向きだっこで使用した状態を示す斜視図である。
【図４Ｂ】図１のベビーキャリアを前向きだっこで使用した他の状態を示す斜視図である。
【図５】図１のベビーキャリアを横だっこで使用した状態を示す斜視図である。
【図６】図１のベビーキャリアを対面だっこで使用した状態を示す斜視図である。
【符号の説明】
【００３５】
１…ベビーキャリア
10…キャリア本体
11…背当て部
12…股当て部
21…サポート部材
25…硬質芯板
26…軟質芯材
27…収納室
30…肩ベルト
Ａ，Ｂ…折り曲げ線
【図１】
2005312759.tif 000003
【図２】
2005312759.tif 000004
【図３】
2005312759.tif 000005
【図４Ａ】
2005312759.tif 000006
【図４Ｂ】
2005312759.tif 000007
【図５】
2005312759.tif 000008
【図６】
2005312759.tif 000009